(57)【要約】      （修正有）【課題】新しい外観形状を有したスライドファスナーの止具とそれらを備えたスライドファスナーを提供する。【解決手段】上下に対向する上板７及び下板８と、上板及び下板の左右方向中間部を上下に連結する連結体９とを備え、下板は、連結体に連結する下板基部８１Ａであってその前面８１Ｆを左右方向に一直線に連続する下側鉛直面とする下板基部と、下板基部の左右端部から上方へ突出する一対の下フランジ部８２，８２とを備え、上板は、連結体に連結する上板基部７１であってその前面を上方から視て下側鉛直面の真上に位置する上側鉛直面とする上板基部と、上板基部の左右端部から下方へ突出する一対の上フランジ部７３，７３と、上板基部の上面に重なり合うと共に上側鉛直面よりも前方に突出する上壁部とを備えることを特徴とするスライドファスナーの止具。【選択図】図２
0003194534.tif 000002
【実用新案登録請求の範囲】
【請求項１】
上下に対向する上板（７）及び下板（８）と、前記上板（７）及び前記下板（８）の左右方向中間部を上下に連結する連結体（９）とを備え、
前記下板（８）は、前記連結体（９）に連結する下板基部（８１Ａ）であってその前面（８１Ｆ）を左右方向に一直線に連続する下側鉛直面とする前記下板基部（８１Ａ）と、前記下板基部（８１Ａ）の左右端部から上方へ突出する一対の下フランジ部（８２，８２）とを備え、
前記上板（７）は、前記連結体（９）に連結する上板基部（７１）であってその前面（７１Ｆ）を上方から視て前記下側鉛直面の真上に位置する上側鉛直面とする前記上板基部（７１）と、前記上板基部（７１）の左右端部から下方へ突出する一対の上フランジ部（７３，７３）と、前記上板基部（７１）の上面に重なり合うと共に前記上側鉛直面よりも前方に突出する上壁部（７２）とを備えることを特徴とするスライドファスナーの止具。
【請求項２】
前記上板基部（７１）と前記下板基部（８１Ａ）とが対向する互いの対向面の少なくとも一方には、突起部（７４，８４）を備えることを特徴とする請求項１記載のスライドファスナーの止具。
【請求項３】
前記下板（８）は、前記下側鉛直面の左右端部から前方に最大突出寸法（８３Ｌ）で突出する一対の張出部（８３，８３）を備え、
前記上壁部（７２）はその左右端部に、各前記張出部（８３）に対向する対向部分を備え、
各前記対向部分は、前記上側鉛直面から前方に突出する最大突出寸法（７２Ｌ）を、対向する前記張出部（８３）の前記最大突出寸法（８３Ｌ）と等しくしてあることを特徴とする請求項１又は２に記載のスライドファスナーの止具。
【請求項４】
前記上板（７）と前記下板（８）と前記連結体（９）とは一体であり、
前記下板基部（８１Ａ）は、前記連結体（９）から左右方向に各々延びると共に前記上板（７）へ向けて変形可能な塑性を有する一対の下脚部（８１，８１）を備えることを特徴とする請求項１、２又は３に記載のスライドファスナーの止具。
【請求項５】
各前記上フランジ部（７３）の下面（７３Ｓ）は、前記連結体（９）から左右方向に遠ざかるにつれて上昇する斜面であり、
各前記下フランジ部（８２）の上面（８２Ｓ）は、前記連結体（９）から左右方向に遠ざかるにつれて下降する斜面であることを特徴とする請求項４に記載のスライドファスナーの止具。
【請求項６】
前記連結体（９）の左右側面の下板（８）側には前後方向全長に亘る凹部（９ａ）が形成されていることを特徴とする請求項４又は５に記載のスライドファスナーの止具。
【請求項７】
独立した複数のエレメント（４１）により構成されると共に前記エレメント（４１）同士が噛合及び分離する一対のエレメント列（４，４）、前後に延長する一対のテープ（３，３）であって互いに対向する側縁部に一対の前記エレメント列（４，４）が固定された一対の前記テープ（３，３）を含む一対のファスナーストリンガー（２，２）と、
一対の前記エレメント列（４，４）の上下に対向する上翼板（５１）及び下翼板（５２）、前記上翼板（５１）及び前記下翼板（５２）を一対の前記エレメント列（４，４）の間で連結する連結柱、前記下翼板（５２）の左右端部から上方に突出する下鍔部を含むスライダー（５）であって前後に摺動可能な前記スライダー（５）と、
一対の前記テープ（３，３）の後端部に跨って固定される請求項１〜６のいずれかに記載の止具（６）とを備え、
最後方の前記エレメント（４１）の後面（４１Ｂ）を左右方向に平行な鉛直面とすると共に、最後方の前記エレメント（４１）の上方に前記止具（６）の上壁部（７２）を配置させ、
前記上壁部（７２）の前面（７２Ｆ）と前記スライダー（５）の前記上翼板（５１）の後面（５１Ｂ）とは互いに面接触する部分を備えていることを特徴とするスライドファスナー。
【請求項８】
独立した複数のエレメント（４１）により構成されると共に前記エレメント（４１）同士が噛合及び分離する一対のエレメント列（４，４）、前後に延長する一対のテープ（３，３）であって互いに対向する側縁部に一対の前記エレメント列（４，４）が固定された一対の前記テープ（３，３）を含む一対のファスナーストリンガー（２，２）と、
一対の前記エレメント列（４，４）の上下に対向する上翼板（５１）及び下翼板（５２）、前記上翼板（５１）及び前記下翼板（５２）を一対の前記エレメント列（４，４）の間で連結する連結柱、前記下翼板（５２）の左右端部から上方に突出する下鍔部を含むスライダー（５）であって前後に摺動可能な前記スライダー（５）と、
一対の前記テープ（３，３）の後端部に跨って固定される請求項３に記載の止具（６）とを備え、
最後方の前記エレメント（４１）の後面（４１Ｂ）を左右方向に平行な鉛直面とすると共に、最後方の前記エレメント（４１）の上方に前記止具（６）の上壁部（７２）を配置させ、
前記上壁部（７２）の前面（７２Ｆ）と前記スライダー（５）の前記上翼板（５１）の後面（５１Ｂ）とは互いに面接触する部分を備え、
前記止具（６）の一対の張出部（８３，８３）を、噛合状態の一対の前記エレメント列（４，４）よりも左右方向の外側に配置してあることを特徴とするスライドファスナー。
【考案の詳細な説明】
【技術分野】
【０００１】
本考案は、スライドファスナーを開くときに最後まで後退させたスライダーに衝突する止具、及びその止具を使用したスライドファスナーに関する。
【背景技術】
【０００２】
スライドファスナーの一例としては、一対のテープの対向する側縁部に一対のエレメント列を固定し、一対のエレメント列の後側において一対のテープの後端部に跨って止具を固定してあるものが、存在する（特許文献１）。このスライドファスナーでは、各エレメント列は多数の独立したエレメントによって構成されている。そして最後方のエレメントの後面、スライダーの後面、及び止具の前面は、いずれも左右方向に平行な鉛直面に形成されている。
【０００３】
より詳しく言えば、止具は、上下に対向する上板及び下板と、上板及び下板の左右方向中間部を上下に連結する連結体とを備え、上板及び下板の前面を左右方向に平行な鉛直面であって、上方から視て上板の鉛直面の真下に下板の鉛直面が配置される構成となっている。また各エレメントは左右方向に平行に延びる棒状であり、その後面を鉛直面としている。このような鉛直面であることから、スライドファスナーを開くと、スライダーの後面は止具の前面に面接触して、スライダーの後退を阻止するようになる。
【先行技術文献】
【特許文献】
【０００４】
【特許文献１】国際公開第２０１３／０１４１０８号
【考案の概要】
【考案が解決しようとする課題】
【０００５】
ところで前記したスライドファスナーの止具の外観は、上方から視ると、上板の形状によって発揮される。そして止具の外観のうち前側は、上板の前面形状により、左右方向に平行な形状になっている。そこで本考案者は、左右方向に平行な鉛直面以外の外観を前面から発揮する止具の開発に着手した。
【０００６】
本考案は、上記実情を考慮したもので、止具の外観を従来とは異なるようにすることを目的とする。
【課題を解決するための手段】
【０００７】
本考案のスライドファスナーの止具は、上下に対向する上板及び下板と、上板及び下板の左右方向中間部を上下に連結する連結体とを備える。そして下板は、連結体に連結する下板基部であってその前面を左右方向に一直線に連続する下側鉛直面とする下板基部と、下板基部の左右端部から上方へ突出する一対の下フランジ部とを備える。また上板は、連結体に連結する上板基部であってその前面を上方から視て前記下側鉛直面の真上に位置する上側鉛直面とする上板基部と、上板基部の左右端部から下方へ突出する一対の上フランジ部と、上板基部の上面に重なり合うと共に上側鉛直面よりも前方に突出する上壁部とを備える。
【０００８】
上板基部と下板基部とが対向する互いの対向面は、凹凸の有無を問わないが、テープに対する止具の取付強度を向上させるには次のようにすることが望ましい。
すなわち、上板基部と下板基部とが対向する互いの対向面の少なくとも一方には、突起部を備えることである。
【０００９】
下板の前面は、下板基部の前面、つまり下側鉛直面のみで形成されていても良いが、このような止具の場合、下板の前面の最前方位置は、上板（上壁部）の前面の最前方位置よりも、後側となる。このような止具を用いたスライドファスナーにおいて、上翼板と下翼板の形状が同じスライダー（上方から視て上翼板と下翼板とがずれることなく重なり合うスライダー）に用いると、スライダーを最後まで後退させた際に、上翼板は上壁部に衝突するが、下翼板は下板に衝突しないことになり、スライダーが上下方向に対して傾くことになる。それを防ぐには次のようにすることが望ましい。
すなわち、下板は、下側鉛直面の左右端部から前方に最大突出寸法で突出する一対の張出部を備え、上壁部はその左右端部に、各張出部に対向する対向部分を備え、各対向部分は、上側鉛直面から前方に突出する最大突出寸法を、対向する張出部の最大突出寸法と等しくすることである。
【００１０】
止具は、スライドファスナーを構成する一対のファスナーストリンガーに取り付けてあるか否かは問わない。そして止具は、上板と下板とを別体とするか、連結体を介して一体とするものかも問わない。ただし止具の取付けの容易さを考慮すれば、次のようにすることが望ましい。
すなわち、上板と下板と連結体とは一体である。そして下板は、連結体から左右方向に各々延びると共に上板へ向けて変形可能な塑性を有する一対の下脚部を備えるものとする。
【００１１】
上板と下板と連結体とを一体とした止具は、上フランジ部の下面及び下フランジ部の上面が、傾斜しているか否かを問わないが、対向する上フランジ部と下フランジ部の間からテープを連結体側へ挿入し易くするには次のようにすることが望ましい。
すなわち、各上フランジの下面は、連結体から左右方向に遠ざかるにつれて上昇する斜面であり、各下フランジの上面は、連結体から左右方向に遠ざかるにつれて下降する斜面にすることである。
【００１２】
上板と下板と連結体とを一体とした止具は、連結体の左右方向の厚み寸法については問わないが、下板を変形させ易くして、止具をテープに固定し易くするには次のようにすることが望ましい。
すなわち、連結体の左右側面の下板側には前後方向全長に亘る凹部が形成されていることである。
【００１３】
前記した止具を用いる本考案のスライドファスナーは、独立した複数のエレメントにより構成されると共にエレメント同士が噛合及び分離する一対のエレメント列、前後に延長する一対のテープであって互いに対向する側縁部に一対のエレメント列が固定された一対のテープを含む一対のファスナーストリンガーと、一対のエレメント列の上下に対向する上翼板及び下翼板、上翼板及び下翼板を一対のエレメント列の間で連結する連結柱、下翼板の左右端部から上方に突出する下鍔部を含むスライダーであって前後に摺動可能なスライダーと、一対のテープの後端部に跨って固定される止具とを備える。そして本考案のスライドファスナーは、最後方のエレメントの後面を左右方向に平行な鉛直面とすると共に、最後方のエレメントの上方に前記止具の上壁部を配置させ、止具の上壁部の前面とスライダーの上翼板の後面とは、互いに面接触する部分を備えている。
【００１４】
前記した止具の中には、「下板は、下側鉛直面の左右端部から前方に最大突出寸法で突出する一対の張出部を備え、上壁部はその左右端部に、各張出部に対向する対向部分を備え、各対向部分は、上側鉛直面から前方に突出する最大突出寸法を、対向する張出部の最大突出寸法と等しくするもの」が存在する。この止具を用いるスライドファスナーの一例としては、前記した本考案のスライドファスナーの構成をさらに限定したものとして、次のものが存在する。
すなわち、止具の一対の張出部を、噛合した状態の一対の前記エレメント列よりも左右方向の外側に配置してあるものである。
【考案の効果】
【００１５】
本考案の止具によれば、上方から視た際に上壁部がその突出部分において上板基部の前面を覆うので、上壁部の形状が止具の外観の一部を形成することになる。そして止具を側方斜め上方から視ると、上壁部が上板基部よりも前方に突出していることが視認されることから、新たな外観を提供することができる。
【００１６】
さらに止具の構成を、上板基部と下板基部とが対向する互いの対向面の少なくとも一方には、突起部を備える構成とすれば、テープに対する止具の取付強度を向上させることができる。
【００１７】
また止具の構成を、下側鉛直面の左右端部から前方に最大突出寸法で突出する一対の張出部を下板は備えるものとし、各張出部に対向する対向部分を上壁部の左右端部に備えるものとし、各対向部分は上側鉛直面から前方に突出する最大突出寸法を、対向する張出部の最大突出寸法と等しくした構成とすれば、この止具と、上方から視て上翼板と下翼板とがずれることなく重なり合うスライダーとを用いてスライドファスナーを形成した場合、スライダーを最後まで後退させた際に、スライダーの上側では上翼板が上壁部に衝突し、スライダーの下側では一対の下鍔部が一対の張出部に衝突するので、スライダーが上下方向に対して傾くことを防止できる。
【００１８】
また上板と下板と連結体とを一体とした止具によれば、下板が連結体から左右方向に各々延びると共に上板へ向けて変形可能な塑性を有する一対の下脚部を備えるものしてあるので、一対の下脚部を上方へ変形させることにより、一対のファスナーストリンガーのテープを上フランジ部と下フランジ部とで挟むようにして、止具を容易に取り付けることができる。
【００１９】
さらに上板と下板と連結体とを一体とした止具の構成を、連結体から左右方向に遠ざかるにつれて、各上フランジ部の下面を上昇する斜面に、各下フランジ部の上面を下降する斜面にする構成とすれば、各斜面がテープを連結体側へ案内するため、対向する上フランジ部と下フランジ部の間からテープが連結体側へ挿入し易くなる。
【００２０】
また上板と下板と連結体とを一体とした止具の構成を、連結体の左右側面の下板側には前後方向全長に亘る凹部が形成されている構成とすれば、一対の下脚部が変形させ易くなり、止具をテープに固定し易くなる。
【００２１】
また本考案のスライドファスナーによれば、止具の上壁部が、最後方のエレメントの上方に配置しているので、上方から視て最後方のエレメントは少なくとも一部が隠れていることになり、新たな外観を提供することができる。また上壁部の前面とスライダーの上翼板の後面とが互いに面接触する部分を備えているので、スライダーを最後まで後退させたときに、上壁部と上翼板の間には隙間が形成され難くなる。
【００２２】
さらにスライドファスナーの構成のうち、止具の一対の張出部を、噛合した状態の一対の前記エレメント列よりも左右方向の外側に配置してあるものであれば、最後までスライダーを後退させたときに、スライダーの一対の下鍔部が一対の張出部に衝突するので、スライダーが上下方向に傾き難くなる効果が得られる。従って下板の厚み寸法を小さくしても、同じ効果が得られることから、止具を製造するのに必要な材料の量を減らすことができる。
【図面の簡単な説明】
【００２３】
【図１】本考案の第１実施形態のスライドファスナーを示す上面図である。
【図２】第１実施形態の止具を示す斜視図である。
【図３】第１実施形態の止具を示す左側面図である。
【図４】第１実施形態の止具を示す後面図である。
【図５】（ａ）図はテープを取り付ける前の第１実施形態の止具の断面図、（ｂ）図はテープを取り付けた後の断面図である。
【図６】第１実施形態の止具と一対のファスナーストリンガーとの取付状態を示す斜視図である。
【図７】（ａ）図は、スライダーと第１実施形態の止具とが接触している状態を示す上面図、（ｂ）図は（ａ）図の二点鎖線に該当する部分を拡大して示す下面図である。
【図８】（ａ）図は、第１実施形態のスライドファスナーの第１の変形例を示す上面図、（ｂ）図は（ａ）図の二点鎖線部分の拡大図である。
【図９】（ａ）図は、第１実施形態のスライドファスナーの第２の変形例を示す上面図、（ｂ）図は（ａ）図の二点鎖線部分の拡大図である。
【図１０】第１実施形態の止具の第３の変形例を示す斜視図である。
【図１１】第２実施形態の止具を示す斜視図である。
【図１２】（ａ）図はテープを取り付ける前の第２実施形態の止具の断面図、（ｂ）図はテープを取り付けた後の断面図である。
【考案を実施するための形態】
【００２４】
本考案の第１実施形態のスライドファスナー１は図１に示すように、対向する一対のファスナーストリンガー２，２と、一対のファスナーストリンガー２，２の対向する側縁部に沿って摺動可能なスライダー５と、一対のファスナーストリンガー２，２の後端部同士を繋ぐ止具６とを備える。
【００２５】
以後の方向性を説明するに際して、前側とは、図１の上側であって、スライダー５が一対のファスナーストリンガー２，２を閉じる方向であって、後側とは、図１の下側であって、スライダー５が一対のファスナーストリンガー２，２を開く方向である。また、前後方向（長手方向）と直交し且つ一対のファスナーストリンガー２，２を対向させる方向を左右方向（幅方向）、前後方向及び左右方向に直交する方向を上下方向とする。左側とは、図１の左側であって、右側とは、図１の右側である。上側とは、図１の紙面に対して直交する方向、すなわち前後方向及び左右方向に直交する方向のうち手前側であって、下側とは、図１の紙面に対して直交する方向のうち奥側である。
【００２６】
一対のファスナーストリンガー２，２は、前後に延長すると共に左右に対向して並べる一対のテープ３，３と、一対のテープ３，３における対向する左右の側縁部に沿って固定された一対のエレメント列４，４と、スライダー５の摺動範囲の後方に隣接する位置においてスライダー５の後退限界位置を定める止具６とを備えている。
【００２７】
各テープ３は、前後に長い帯状であって、それゆえ前後方向を長手方向とする。また各テープ３の厚み方向は上下方向となる。また各テープ３は、その左右の側縁部のうち対向する側縁部に、他方よりも厚みの厚い芯部３ａを備えている。
【００２８】
各エレメント列４は図１、図７に示すように、テープ３の対向する側縁部に沿って前後に間隔をあけて配列された多数のエレメント４１によって形成される。多数のエレメント４１はそれぞれ独立しており、各エレメント４１は芯部３ａに対して固定されている。一対のファスナーストリンガー２，２を閉じる為にスライダー５を前方へ移動させると、一対のエレメント列４，４のエレメント４１同士が噛合し、その噛合したエレメント４１同士がスライダー５の後側から出る。また一対のファスナーストリンガー２，２を開く為にスライダー５を後方へ移動させると、一対のエレメント列４，４のエレメント４１同士が左右に分離し、その分離したエレメント４１同士がスライダー５の前側から出て、最終的にはスライダー５が止具６に衝突することによって、スライダー５の更なる後方への移動が阻止される。
【００２９】
各エレメント４１は、左右方向に延長しており、延長する左右方向の一方部分を芯部３ａへの固定部４２とし、延長方向の他方部分を噛合頭部４３とする。図示の例では、固定部４２及び噛合頭部４３の後面４１Ｂは、左右方向に一直線に連続する平行な鉛直面であり、従ってエレメント４１の後面は、左右方向に平行な鉛直面である。また固定部４２はその前面を、左右方向に平行な鉛直面とするのに対し、噛合頭部４３は固定部４２の前面よりも前方に突出する凸部４３ａを備えている。また別のエレメント４１の凸部４３ａを噛合させる為に、噛合頭部４３の後面は、前方への凹み（図示略）が形成されている。このようにエレメント４１の後面４１Ｂは、凹みを備えているが、左右方向に平行な鉛直面であることに変わりは無い。
【００３０】
スライダー５は図１、図７に示すように、一対のエレメント列４，４に係合すると共に前後に移動可能なスライダー胴体５ａと、スライダー胴体５ａに対して揺動可能に連結される引手５ｂとを備える。
【００３１】
スライダー胴体５ａは、上下に対向する上翼板５１及び下翼板５２と、上翼板５１及び下翼板５２の間を互いの前部における左右方向の中間部において連結する連結柱（図示略）と、上翼板５１の上面における上方に突出する引手保持体５３と、上翼板５１及び下翼板５２の左右端部から上翼板５１及び下翼板５２の間を狭める方向に突出する上鍔部及び下鍔部（いずれも図示略）とを備える。そして上翼板５１と下翼板５２の間には一対のエレメント列４，４を通すエレメント通路（図示略）が、前後方向に貫通して形成されている。また上下に対向する上鍔部と下鍔部の間には、テープ３を通すテープ挿通路（図示略）が形成され、この間隔はエレメント４の厚み寸法（上下寸法）よりも小さく形成されている。
【００３２】
また上翼板５１と下翼板５２は同一形状であって、上下方向に視てずれることなく重なり合う状態で対向している。また上翼板５１と下翼板５２はその後面５１Ｂ、５２Ｂが図示の例では鉛直面であって、上方から視ると左右対称形状、詳しくは左右方向中間部が最も後方に突出する円弧状である。
【００３３】
第１実施形態の止具６は図２〜図４、図７に示すように、左右対称形状であって、上下に対向すると共にテープ３を挟む為の上板７及び下板８と、上板７及び下板８の左右方向中間部をその前後方向全長亘って上下に連結する連結体９とを備える。また止具６は、上板７と下板８と連結体９とを一体とするもので、塑性を有しており、テープ３に対して取り付けられる際に加締められる（外力によって変形する）もので、具体的な一例としては、ダイカストにより製造された亜鉛製である。
【００３４】
上板７は、厚み方向を上下方向とする板状であって、左右方向に延長する上板基部７１と、上板基部７１の左右端部から下方へ突出する一対の上フランジ部７３，７３と、上板基部７１の上に重なり合うと共に上板基部７１よりも前方に突出する上壁部７２と、上板基部７１の下面から突出する突起部７４を備える。
【００３５】
上板基部７１は、板状であって、図示の例では上方から視て矩形状となっている。また上板基部７１はその前面７１Ｆを、左右に平行な鉛直面（以下、「上側鉛直面」とも言う。）とするものである。上板基部７１の下面は、左右方向中間部を連結体への接合部とし、左右端部を上フランジ部への接合部とし、一対の上フランジ部７３，７３と連結体９（両方の接合部）の間を下方に露出する部分としている。この露出する部分は、各上フランジ部７３に近い側の面を水平面とし、連結体９に近い側の面を連結体９から水平面に近づくにつれて徐々に上昇する斜面としてある。
【００３６】
上壁部７２は、板状であって、上板基部７１の前面７１Ｆよりも前方に突出する上壁本体部７２ａと、上壁本体部７２ａを上板基部７１に接合する上壁接合部７２ｂとから構成される。
上壁接合部７２ｂは図示の例では、上方から視て上板基部７１と同じ矩形状、つまり上板基部７１の上面全体を覆う形状になっている。
上壁本体部７２ａは上壁接合部７２ｂの前端における左右方向全長に亘って形成され、その前面７２Ｆを、スライダー５の上翼板５１の後面５１Ｂ形状に対応させて、鉛直面にすると共に、左右方向に非平行な形状であって円弧状に窪む形状（左右方向中央部が最も後側に凹む円弧状）としてある。また上壁本体部７２ａは、その円弧状に窪む形状であるがゆえに、左右端部が左右方向中間部よりも前方に突出しており、左右端部には、上板基部７１の前面から前方へ突出する最大突出寸法７２Ｌとする部分が存在する。
【００３７】
上フランジ部７３は、上板基部７１の左右端部における前後方向の全長に亘って形成され、その下面７３Ｓを斜面とするものである。より具体的に言えば、例えば右側の上フランジ部７３の下面７３Ｓは、右側へ向かうにつれて上昇する斜面である。従って左右の上フランジ部７３，７３の下面７３Ｓ，７３ｓは、連結体９から左右方向に離れるにつれて上昇する斜面である。
【００３８】
突起部７４は、上板基部７１の下面においてその前後方向の一部において左右に間隔をあけて形成されている。
【００３９】
下板８は、厚み方向を上下方向とする板状であって、下方から視て上板７の上板基部７１と同形状、つまり矩形状となっている。また下板８は、左右方向に延長する下板基部８１Ａと、下板基部８１Ａの左右端部から上方へ突出する一対の下フランジ部８２，８２と、下板基部８１Ａの左右端部から前方に突出する一対の張出部８３，８３と、下板基部８１Ａの上面から突出する突起部８４，８４とを備える。
【００４０】
下板基部８１Ａは、連結体９から左及び右方向に各々延びる一対の下脚部８１，８１とから構成される。各下脚部８１は、テープ３に取り付ける前の状態では、連結体９から左右方向（左又は右）に離れるにつれて僅かに下方に向かう板形状である。また各下脚部８１の前面８１Ｆは、左右方向に平行な鉛直面である。従って一対の下脚部８１，８１の互いの前面８１Ｆ，８１Ｆは、左右方向に一直線に連続する鉛直面（以下、「下側鉛直面」とも言う。）となる。そして一対の下脚部８１，８１の下側鉛直面８１Ｆ，８１Ｆは、上方から視て、上板７の上側鉛直面７１Ｆの真下に位置するものとなる。なお各下脚部８１は、上下方向の厚みを上板７よりも薄く且つ加締め変形（上板７へ向けて塑性変形）可能とし、それによって一対の上フランジ部７３，７３と一対の下フランジ部８２，８２との上下方向の間隔を接近可能に設けてある。また各下脚部８１は、下フランジ部８２が突出する基になるものである。
【００４１】
下フランジ部８２は、一対の下脚部８１，８１の左右端部における前後方向の全長に亘って形成され、その上面を斜面とするものである。より具体的には、例えば右側の下フランジ部８２の上面８２Ｓは、右側へ向かうにつれて下降する斜面である。従って左右の下フランジ部８２，８２の上面８２Ｓ，８２Ｓは、連結体９から左右方向に離れるにつれて下降する斜面である。また対向する下フランジ部８２と上フランジ部７３との上下間隔は、芯部３ａの最大厚み寸法（上下方向の寸法）よりも短く形成されている。
【００４２】
各張出部８３は、一対の下脚部８１，８１（下側鉛直面８１Ｆ，８１Ｆ）の左右端部から前方に突出しており、下側鉛直面８１Ｆから前方に突出する最大突出寸法を８３Ｌとする。また各張出部８３の上側には上壁部７２（上壁本体部７２ａ）の左右端部が対向しており、この左右端部（対向部分）は、前記したように、上板基部７１の前面７１Ｆから前方へ突出する最大突出寸法７２Ｌとする部分が存在する。そして互いの最大突出寸法８３Ｌ、７２Ｌを同じ寸法としてある。
また一対の張出部８３，８３の左右方向の間隔（最小間隔）Ｗ１は、噛合状態の一対のエレメント列４，４の左右幅（最大幅）Ｗ２よりも僅かに大きく形成されている。ちなみに一対の張出部８３，８３の左右方向の対向面は、後方に向かうにつれて左右方向内側へ向かうように傾斜が付いており、それ故、一対の張出部８３，８３の後端における左右方向の間隔Ｗ１が最小間隔となる。
【００４３】
突起部８４は、各下脚部８１の上面においてその前後方向の一部において左右に間隔をあけて形成されている。
【００４４】
連結体９は、上板７及び下板８と一体に形成されており、その左右側面の下板８側には前後方向全長に亘る凹部９ａが形成されている。凹部９ａは、その上面が左右方向に平行な面となっている。従って、連結体９の左右側面はその下板側が段差状に凹んだ形状になっている。言い換えれば、連結体９の左右方向の厚み寸法は、前後方向全長に亘って上板７側に比べて下板８側が段状に薄くなっている。
【００４５】
上記した第１実施形態の止具６は次の（１）〜（４）の手順で一対のファスナーストリンガー２，２に取り付ける。
（１）図５（ａ）に示すように、一対のテープ３，３の後端部同士を左右に離れるように広げ、一対の芯部３ａ，３ａの間に止具６を配置する。そして止具６の左右において、対向する上フランジ部７３と下フランジ部８２の間の空間へ向かって、芯部３ａを挿入する。芯部３ａが連結体９側へ近づくにつれて、上フランジ部７３の斜面７３Ｓと下フランジ部８２の斜面８２Ｓによって芯部３ａは連結体９側へ案内されるため、連結体９側へ挿入する力が軽い力で済み、芯部３ａ（テープ３）を連結体９側へ挿入し易くなる。また、上フランジ部７３の斜面７３Ｓと、下フランジ部８２の斜面８２Ｓとの間隔が連結体９側に向かって徐々に上下方向に小さくなるため、上フランジ部７３と下フランジ部８２を通過して連結体９側に案内された芯部３ａ（テープ３）に左右方向の横引き力が加わった際、上フランジ部７３と下フランジ部８２が芯部３ａ（テープ３）に接触し、芯部３ａ（テープ３）から止具６が外れにくくなる。
（２）次に一対の芯部３ａ，３ａが挿入された止具６を前方へ押し込み、止具６を最後方のエレメント４１に衝突させる。そうすると図７（ｂ）に示すように、一対の張出部８３，８３の左右方向の間隔Ｗ１を、噛合状態の一対のエレメント列４，４の左右幅Ｗ２よりも僅かに大きく形成してあるので、一対の張出部８３，８３の間に最後方のエレメント４１が入り込むことになる。つまり一対の張出部８３，８３は、噛合状態の一対のエレメント列４，４よりも左右方向の外側に配置される状態になる。そしてエレメント４１の後面４１Ｂ（左右方向に平行な鉛直面）に対して、止具６のうち上板基部７１の前面７１Ｆ及び一対の下脚部８１，８１の前面８１Ｆ，８１Ｆが衝突し、止具６のこれら前面７１Ｆ，８１Ｆが左右方向に平行な向きに定められる。
（３）その後、上フランジ部７３と下フランジ部８２でテープ３を挟むように、上板７の左右端部と下板８（一対の下脚部８１，８１）の左右端部とに、互いの上下間隔が狭くなるように外力を加える。このとき、連結体９の凹部９ａの効果によって、軽い外力を加えるだけで、一対の下脚部８１，８１が塑性変形するので、止具６をテープ３に固定し易い。
（４）最終的には図５（ｂ）に示すように、止具６はその左右において、上フランジ部７３と下フランジ部８２でテープ３を挟むことによって、一対のテープ３，３の後端部に跨って固定される。またテープ３（芯部３ａ）は幾分伸び縮みする弾性を有しているので、止具６を塑性変形させたときの外力により、止具６の上板基部７１と一対の下脚部８１，８１の前面８１Ｆ，８１Ｆと最後方のエレメント４１の後面４１Ｂとは面接触するか、少しの隙間を介して対向する状態になる。なお止具６の上下の突起部７４，８４が芯部３ａに食い込む形となり、テープ３に対する止具６の取付強度が向上することになる。
【００４６】
第１実施形態のスライドファスナー１は、このようにして止具６を取り付けたことから、止具６の上壁部７２（上壁本体部７２ａ）は、最後方のエレメント４１の上方に位置することになり、上方から視ると、図１に示すように最後方のエレメント４１は後部が見えない状態になる。そして上壁部７２がその上壁本体部７２ａにおいて上板基部７１の前面７１Ｆを覆うので、上壁部７２の形状が上方から視た止具６の外観を形成することになる。一方、図６に示すように、止具６を側方斜め上方から視ると、上壁部７２（上壁本体部７２ａ）が上板基部７１よりも前方に突出していることが視認される。このように上方及び側方から視ても止具６の外観は今までとは異なる新たなものである。
【００４７】
また第１実施形態のスライドファスナー１は、図７（ａ）に示すように、スライダー５を最後まで後退させると、テープ３よりも上側においては、スライダー５の上翼板５１の後面５１Ｂと、止具６の上壁部７２の前面７２Ｆとが左右方向の略全長に亘って面接触する状態となり、上翼板５１と上壁部７２との間には隙間が殆どない状態になる。また図７（ｂ）に示すように、スライダー５を最後まで後退させると、テープ３よりも下側においては、スライダー５の下翼板５２の左右の下鍔部（図示略）が一対の張出部８３，８３に衝突する。つまり、スライダー５の後部と止具６の前部とは上下において衝突することになる。これは、前述したように第１実施形態のスライドファスナー１は、一対の張出部８３，８３の最大突出寸法８３Ｌと、上壁部７２（上壁本体部７２ａ）の左右端部の最大突出寸法７２Ｌとが同じ寸法の止具６を用い、しかも上方から視て上翼板５１と下翼板５２とがずれることなく重なり合うスライダー５を用いた為である。そしてスライダー５の後部と止具６の前部とが上下において衝突したことから、スライダー５が上下方向に対して傾くことを防止できる。なお一対の張出部８３，８３がスライダー５の下鍔部に衝突することから、下板８の厚み寸法を小さくしても、同じ効果が得られる。よって下板８の厚み寸法を小さくして止具６を製造するのに必要な材料の量を減らすことができる。
【００４８】
本考案の第１実施形態のスライドファスナー１に対する第１の変形例としては、スライダー５の後面形状と止具６の前面形状とを、第１実施形態と相違させたものがある。
【００４９】
例えば第１の変形例は図８に示すように上方から視て、スライダー５の上翼板５１の後面５１Ｂを波形状とし、止具６の上板７の上壁部７２の前面７２Ｆを上翼板５１の後面５１Ｂと同じ波形状としたものである。ちなみに波形状とは、前後方向に起伏のある形状である。
【００５０】
また第２の変形例は図９に示すように上方から視て、スライダー５の上翼板５１の後面５１ＢをＶ字形状とし、止具６の上板７の上壁部７２の前面７２Ｆを同じＶ字形状としたものである。詳しくは、上壁部７２の前面７２ＦのＶ字形状は、左右方向中間部が最も後方に凹む形状である。そして上方から視て、上板基部７１の前面７１Ｆ（左右に平行な鉛直面）に対して、上壁部７２のＶ字形状の左右側部は前方に突出し、上壁部７２のＶ字形状の左右方向中間部は後方に凹んでいる。
【００５１】
本考案の第１実施形態のスライドファスナー１に対する第３の変形例としては、スライダー５の形状を同一にしながら、止具６の前面形状を第１実施形態と相違させたものがある。
【００５２】
例えば図１０に示す第３の変形例の止具６は、突起部８４を各下脚部８１の上面においてその前後方向の全長において形成したものである。また突起部８４は、各下脚部８１の左右に間隔をあけて複数本並列して形成されている。このようにすれば、テープ３，３に対する止具６の取付強度を向上させることができ、一対のファスナーストリンガー２，２に左右方向への横引き力が加わっても、止具６が外れ難くなる。また第３の変形例の止具６は、第１実施形態の止具６を構成する一対の張出部８３，８３を有しない。従って一対の下脚部８１，８１と一対の下フランジ部８２，８２の前面は、下板８の前面であり、左右方向に平行な鉛直面となっている。
【００５３】
上記した第１実施形態の止具６は上板７と下板８とが連結体９を介して一体となった一体物であったが、本考案のスライドファスナー１において止具６は、上板７と下板８とを別体とした実施形態であっても良い。たとえば図１１、図１２に示すように第２実施形態の止具６は、上板７及び連結体９が一体となった上部材１１、下板８を別体として備え、上部材１１及び下板８の他に、下板８と連結体９とを固定する係止部１２及び被係止部１３を備えるものである。そして第２実施形態の止具６は、上部材１１と下板８とを上下方向に接近させてから、係止部１２と被係止部１３とを連結することによって、上部材１１と下板８とを一体化する点において、第１実施形態の止具６と相違する。
【００５４】
下板８は、一対の下脚部８１，８１が一枚の水平な板状となった下板基部８１Ａと、下板基部８１Ａの左右端部から上方へ突出する一対の下フランジ部８２，８２と、下板基部８１Ａの左右端部から前方に突出する一対の張出部８３，８３とを備えている。ちなみに一対の下フランジ部８２，８２は、その上面を水平面としてある。また下板８には第１実施形態の突起部８４が存在しない。下板基部８１Ａは、前記したように水平な板状であり、その上面の幅方向の中央部には、下方に窪む溝部８５が前後方向の全長に亘って形成される。そして溝部８５に収容される関係上、連結体９の下端部は溝部８５よりも僅かに幅寸法を小さくしてある。
【００５５】
また溝部８５には下板基部８１Ａの厚み方向に貫通する貫通穴としての被係止部１３が前後に間隔をあけて複数形成される。ちなみに各被係止部１３は丸穴としてある。
【００５６】
上部材１１の連結体９の下面には下方に突出する係止部１２が形成される。係止部１２は、連結体９の下面において、被係止部１３に対応させて前後に間隔をあけて複数本突出している。なお各係止部１２は、円柱形状であり、被係止部１３よりも僅かに直径を小さくすると共に、上下寸法を被係止部１３の上下寸法よりも長くしてある。
【００５７】
上記した第２実施形態の止具６は、以下の手順で一対のファスナーストリンガー２，２に取り付ける。
まず図１２（ａ）に示すように、一対のテープ３，３の後端部同士を左右に離れるように広げ、下板８を一対のテープ３，３の下側に配置し、上部材１１を一対のテープ３，３の上側に配置する。より詳しくは一対の芯部３ａ，３ａの幅方向の外側に下板８の一対の下フランジ部８２，８２が配置されるようにし、一対の芯部３ａ，３ａの幅方向の外側に一対の上フランジ部７３，７３が配置されるようにし、一対の芯部３ａ，３ａの間に連結体９が配置されるようにする。これによって上部材１１と下板８とは左右方向においてほぼ対向するようになる。そして上板７の上板基部の７１の前面７１Ｆ及び下板８の一対の下脚部８１，８１の前面８１Ｆ，８１Ｆを、最後方のエレメント４１の後面に軽く押し当てて、一対のファスナーストリンガー２，２に対して止具６を前後方向に位置決めする。
そして図１２（ｂ）に示すように上部材１１と下板８を一対の芯部３ａ，３ａに対して接近させるようにすると、連結体９の各係止部１２が対応する被係止部１３に挿入されると共に、一対の上フランジ部７３，７３と一対の下フランジ部８２，８２との間隔が狭まる。そのままの状態で、被係止部１３から突出する係止部１２の先部を加締める（潰す）ことによって、上部材１１と下板８とは連結される。また止具６は、その左右において上フランジ部７３と下フランジ部８２でテープ３を挟むことなり、また止具６は一対のテープ３，３の後端部に跨って固定される。
【００５８】
本考案は上記実施形態に限定されるものではなく、その趣旨を逸脱しない範囲において適宜変更可能である。例えば、前記実施形態での止具６の上壁接合部７２ｂは、上方から視て上板基部７１と同じ矩形状、つまり上板基部７１の上面全体を覆う形状になっていたが、本考案はこれに限らず、上壁本体部７２ａを上板基部７１に接合することのできる形状であれば良く、上方から視て上板基部７１の前部にのみ形成される形状、つまり上板基部７１の一部のみを覆う形状になっていても良い。
【００５９】
また第２実施形態の止具６は、係止部１２と連結体９とを一体として備えるものであったが、これに限らず本考案の止具６は、係止部１２と連結体９とを別体として備えるものであっても良い。より具体的には係止部１２は、例えばボルトや、スナップ式に固定する凸状物であるものとし、連結体９には係止部１２を取り付ける取付部を備えるものとし、その取付部は例えばボルトの雄ネジ部が嵌まる雌ネジ部や、凸状物が嵌まる凹状物であるものとする。
【符号の説明】
【００６０】
１  スライドファスナー
２  ファスナーストリンガー
３  テープ
３ａ  芯部
４  エレメント列
Ｗ２  エレメント列の左右幅
４１  エレメント
４１Ｂ  後面
４２  固定部
４３  噛合頭部
４３ａ  凸部
５  スライダー
５ａ  スライダー胴体
５１  上翼板
５１Ｂ  後面
５２  下翼板
５２Ｂ  後面
５３  引手保持体
５ｂ  引手
６  止具
７  上板
７１  上板基部
７１Ｆ  前面
７２  上壁部
７２Ｆ  前面
７２Ｌ  最大突出寸法
７２ａ  上壁本体部
７２ｂ  上壁接合部
７３  上フランジ部
７３Ｓ  下面（斜面）
７４  突起部
８  下板
８１  下脚部
８１Ａ  下板基部
８１Ｆ  前面
８２  下フランジ部
８２Ｓ  上面（斜面）
８３  張出部
８３Ｌ  最大突出寸法
Ｗ１  左右方向の間隔
８４  突起部
８５  溝部
９  連結体
９ａ  凹部
１１  上部材
１２  係止部
１３  被係止部
【図１】
0003194534.tif 000003
【図２】
0003194534.tif 000004
【図３】
0003194534.tif 000005
【図４】
0003194534.tif 000006
【図５】
0003194534.tif 000007
【図６】
0003194534.tif 000008
【図７】
0003194534.tif 000009
【図８】
0003194534.tif 000010
【図９】
0003194534.tif 000011
【図１０】
0003194534.tif 000012
【図１１】
0003194534.tif 000013
【図１２】
0003194534.tif 000014